(57)【特許請求の範囲】
【請求項１】
収納物の保持体を一端に備えたベルト状の操作片を有し、先端開口を有した筒状の容器本体内に前操作片がＵ字状に折り返された状態で収容され、前記容器本体の外部から操作可能なように前記操作片の他端に設けられた操作ノブを容器本体に沿ってその軸方向に進退操作することにより、前記保持体を前記軸方向に移動させる操作ノブ付き棒状容器において、
前記保持体を支持する支持部とこの支持部における前記保持体の支持側とは反対側に設けられる案内用凸部とをもち、かつ前記容器本体とは別体の内部フレーム部材を有し、前記支持部により前記保持体が支持された状態で前記操作片が前記案内用凸部側に導出され、さらに、この案内用凸部に沿って前記操作片がＵ字状に折り返された状態で前記内部フレーム部材および操作片が前記容器本体の内部に組込まれていることを特徴とする操作ノブ付き棒状容器。
【請求項２】
請求項１記載の操作ノブ付き棒状容器において、
前記支持部は先端に開口を有し、かつ底部に前記案内用凸部を有した筒状に形成され、前記保持体は前記支持部内に収容された状態で支持されていることを特徴とする操作ノブ付き棒状容器。
【請求項３】
請求項１又は２に記載の操作ノブ付き棒状容器において、
前記支持部に保持体が支持され、かつ操作片が案内用凸部に沿ってＵ字状に折り返された状態で前記内部フレーム部材が操作片と共に前記先端開口を介して容器本体内に挿入されることにより前記内部フレーム部材および操作片が前記容器本体の内部に組込まれていることを特徴とする操作ノブ付き棒状容器。
【請求項４】
請求項３記載の操作ノブ付き棒状容器において、
前記容器本体の内部に、該容器本体の先端開口側に向かって開口し、容器本体への前記内部フレーム部材の挿入に伴い前記案内用凸部および操作片を案内する筒状の案内用凹部が形成されていることを特徴とする操作ノブ付き棒状容器。
【請求項５】
請求項３又は４に記載の操作ノブ付き棒状容器において、
前記容器本体に対して前記内部フレーム部材を所定の挿入位置まで挿入すると容器本体と内部フレーム部材とを自ずと離脱不能に固定する固定手段を備えていることを特徴とする操作ノブ付き棒状容器。
【請求項６】
請求項５記載の操作ノブ付き棒状容器において、
前記固定手段は、前記内部フレーム部材に形成される鍔部と、前記支持部における前記保持体の支持側とは反対側に設けられて前記軸方向に延びる係止片と、容器本体の底部に設けられる被係止部とからなり、容器本体の先端開口縁部に前記鍔部が当接する位置まで容器本体に対して内部フレーム部材が挿入されると前記係止片が前記被係止部に係止されるように構成されていることを特徴とする操作ノブ付き棒状容器。
【請求項７】
請求項１乃至６の何れかに記載の操作ノブ付き棒状容器において、
前記内部フレーム部材には、前記保持体の前記支持部からの脱落を防止する抜け止めが設けられていることを特徴とする操作ノブ付き棒状容器。
【請求項８】
請求項１乃至７の何れかに記載の操作ノブ付き棒状容器において、
前記容器本体と前記内部フレーム部材の案内用凸部とにより前記操作片をＵ字状に折り返した状態で案内する案内通路が形成され、この案内通路であって前記容器本体側の案内面に段状の爪部が設けられるとともに、前記操作片のうち容器本体側の前記案内面に対向する面に前記爪部に係合可能な係合歯が形成され、これら爪部及び係合歯が係合時に収納物の収納方向への操作片の移動を阻止し得るように構成され、さらに収納物を容器先端側に押し出した状態で該収納物に収納方向の荷重が作用すると前記操作片が容器本体側の案内面に当接して前記係合歯と爪部とが係合状態となる一方、収納物を収納すべく前記操作ノブを操作して前記操作片に引張り荷重を与えると前記操作片が容器本体側の案内面から離間して前記係合歯と爪部との係合状態が解除され得るように前記案内通路の隙間が設定されていることを特徴とする操作ノブ付き棒状容器。
【請求項９】
請求項１乃至７の何れかに記載の操作ノブ付き棒状容器において、
収納物出し入れ用の開口部を開閉する蓋体が設けられ、この蓋体は前記操作ノブに連結され、前記操作ノブの操作に連動して前記開口部を開閉するように構成されていることを特徴とする操作ノブ付き棒状容器。
【請求項１０】
請求項９記載の操作ノブ付き棒状容器において、
前記蓋体が操作ノブに対して直接連結され、収納物を押し出すべく操作ノブを移動させると前記開口部を開放しながら蓋体が容器側方に向かって移動するように構成されるとともに、前記蓋体が容器側方に移動するに伴い又は移動した後に収納物が押し出されるように前記操作ノブが前記操作片に対して組付けられていることを特徴する操作ノブ付き棒状容器。
【請求項１１】
請求項１０記載の操作ノブ付き棒状容器において、
前記蓋体が操作ノブに対して回動可能に連結されるとともに、容器本体の先端部分にカム部が設けられ、前記開口部を開放した状態から収納物を収納すべく操作ノブを移動させると、蓋体の一部が前記カム部に当接して前記開口部を閉止するように蓋体が前記操作ノブに対して回動するように構成されていることを特徴とする操作ノブ付き棒状容器。
【発明の詳細な説明】
【０００１】
【発明の属する技術分野】
本発明は、例えば口紅、薬用リップ、糊等の製剤、あるいは化粧用のハケ、印鑑等の固形物を操作ノブの進退操作により出し入れ可能に収納する操作ノブ付き棒状容器に関するものである。
【０００２】
【従来の技術】
上記のような操作ノブ付き棒状容器として、例えば、先端（上端）に開口を有した筒状の容器本体の内部に棒状製剤を保持した受筒（保持体）を収納し、この受筒を容器本体の軸方向に移動可能に支持するとともに、ベルト状の操作片をＵ字型に折り返した（湾曲させた）状態で容器本体に収納してその一端を前記受筒に連結し、前記操作片に対して容器本体の外側から組付けられた操作ノブを進退操作することにより操作片を介して受筒を移動させて棒状製剤を出し入れするようにした棒状製剤用容器は一般に知られている（例えば実開昭５８−１１２２１４号公報）。
【０００３】
【発明が解決しようとする課題】
上記のような容器は、通常、容器本体が径方向に二分割される分割構造とされており、容器組立時には、一方側の分割片に対してその内側面に形成された案内溝等に受筒や操作片を予め組付けておき、これに他方側の分割片を合体させつつ、該他方側の分割片に形成された案内溝内に前記操作片等を組付けながら組立てるように構成されている。そのため組立性が極めて悪いという問題がある。
【０００４】
すなわち、案内溝にベルト状の操作片を嵌め込みながらＵ字型に折り返し、さらにこの状態を保持しながら分割片同士を合体させる必要があるため、例えば一方側の分割片に操作片を組付けた状態でこの分割片に対して他方側の分割片を合体させようとすると、この際にスプリングバックが生じて操作片が分割片（案内溝）から外れてしまうことが多く、容器の組立てに過大な手間と時間がかかるという問題がある。特に、操作片の剛性が高い場合や、操作片を折り返す際の曲率が大きい場合にはスプリングバックが生じ易く、組立性がより一層悪いものとなる。
【０００５】
本発明は、上記課題に鑑みてなされたものであって、操作ノブ付き棒状容器においてその組立性を向上させることを目的としている。
【０００６】
【課題を解決するための手段】
上記課題を解決するために、本発明は、収納物の保持体を一端に備えたベルト状の操作片を有し、先端開口を有した筒状の容器本体内に前操作片がＵ字状に折り返された状態で収容され、前記容器本体の外部から操作可能なように前記操作片の他端に設けられた操作ノブを容器本体に沿ってその軸方向に進退操作することにより、前記保持体を前記軸方向に移動させる操作ノブ付き棒状容器において、前記保持体を支持する支持部とこの支持部における前記保持体の支持側とは反対側に設けられる案内用凸部とをもち、かつ前記容器本体とは別体の内部フレーム部材を有し、前記支持部により前記保持体が支持された状態で前記操作片が前記案内用凸部側に導出され、さらに、この案内用凸部に沿って前記操作片がＵ字状に折り返された状態で前記内部フレーム部材および操作片が前記容器本体の内部に組込まれているものである。
【０００７】
この構成によれば、容器本体とは別体の内部フレーム部材に操作片を案内する案内用凸部が設けられているので、容器の組立時には、保持体を内部フレーム部材により支持して操作片を案内用凸部に沿って案内した状態で容器本体に組付けることができる。従って、操作片を案内溝に嵌め込みながら容器本体に対して保持体を組付ける必要がある従来のこの種の容器に比べて組立時の手間が省け組立性が向上する。
【０００８】
この容器において、前記支持部は、先端に開口を有し、かつ底部に前記案内用凸部を有した筒状に形成され、前記保持体は、前記支持部内に収容された状態で支持されているのが好ましい。
【０００９】
この構成によれば、保持体を内部フレーム部材の円筒状の支持部内に挿入した状態で容器の組立を行うことが可能となるので、より一層組立性が向上する。
【００１０】
上記の容器においては、前記支持部に保持体が支持され、かつ操作片が案内用凸部に沿ってＵ字状に折り返された状態で前記内部フレーム部材が操作片と共に前記先端開口を介して容器本体内に挿入されることにより前記内部フレーム部材および操作片が前記容器本体の内部に組込まれているのが好ましい。
【００１１】
このような構成によれば、容器の組立時には、内部フレーム部材の案内用凸部に沿って操作片をＵ字に折り返し、操作片の先端部分を内部フレーム部材と共に摘まんだ状態で容器本体に対してその先端開口から挿入することにより保持体等を容器本体内に組付けることとなる。そのため、操作片にスプリングバックが生じるのを確実に防止することができ、操作片をＵ字状に折り返した状態で簡単に容器本体内に組付けることができる。
【００１２】
この場合には、容器本体の内部に、該容器本体の先端開口側に向かって開口し、容器本体への前記内部フレーム部材の挿入に伴い前記案内用凸部および操作片を案内する筒状の案内用凹部が形成されているのがより好ましい。
【００１３】
この構成によれば、操作片がある程度拘束されるので、収納物使用時に操作ノブを操作したときの圧縮荷重による操作片の無駄な撓みを防止することが可能となり、収納物の押し出し操作をより良好に行うことが可能となる。また、容器の組立時、内部フレーム部材等を容器本体内に挿入する際に案内用凸部と操作片が互いにずれるのを有効に防止することができ、より一層組立性を向上させることができる。
【００１４】
また、この容器においては、前記容器本体に対して前記内部フレーム部材を所定の挿入位置まで挿入すると容器本体と内部フレーム部材とを自ずと離脱不能に固定する固定手段を備えているのが好ましい。
【００１５】
この構成によれば、内部フレーム部材等を容器本体に挿入しさえすれば自ずと内部フレーム部材と容器本体とが固定されるので、内部フレーム部材を固定するための特別の作業が不要となり組立性をより一層向上させることができる。
【００１６】
固定手段としては、例えば内部フレーム部材に鍔部と係止片とを設け、容器本体の先端開口縁部に鍔部が当接する位置まで容器本体に対して内部フレーム部材を挿入すると係止片が容器本体の底部に設けられる被係止部に係止されるような構成を採用することができる。
【００１７】
この構成によれば、内部フレーム部材を容器本体に固定すると、軸方向の引張り応力が内部フレーム部材に働いた状態となるため容器本体に対して内部フレーム部材をより安定した状態で固定することが可能となる。
【００１８】
なお、内部フレーム部材には、前記保持体の前記支持部からの脱落を防止する抜け止めが設けられているのが好ましい。
【００１９】
この構成によれば、組立時に、保持体が内部フレーム部材から脱落するのを防止することができ、組立性がさらに向上する。
【００２０】
また、上記のような容器においては、容器本体と内部フレーム部材の案内用部材とにより操作片をＵ字状に折り返した状態で案内する案内通路を形成し、この案内通路であって容器本体側の案内面に段状の爪部を設けるとともに、操作片のうち容器本体側の前記案内面に対向する面に前記爪部に係合可能な係合歯を形成し、係合時に収納物の収納方向への操作片の移動を阻止し得るように爪部及び係合歯を構成するとともに、収納物を容器先端側に押し出した状態で該収納物に収納方向の荷重が作用すると操作片が容器本体側の案内面に当接して係合歯と爪部とが係合状態となる一方、収納物を収納すべく操作ノブを操作して操作片に引張り荷重を与えると操作片が容器本体側の案内面から離間して係合歯と爪部との係合状態が解除され得るように前記案内通路の隙間を設定するのが好ましい。
【００２１】
この構成によると、収納物の押し出し時には、係合歯と爪部とが係合することなく操作ノブの操作に伴い収納物の押し出しがスムーズに行われる。また、収納物の使用時には、係合歯と爪部とが係合して操作片の移動（収納物の収納方向への移動）が阻止され、その結果、収納物が容器内に押し戻されるのが防止される。そして、収納物を収納すべく操作ノブを操作すると、操作片が容器本体側の案内面から離間し、これにより係合歯と爪部との係合状態が解除されて収納物が操作ノブの操作に伴いスムーズに容器内に収納されることとなる。
【００２２】
さらに、上記の容器においては、収納物出し入れ用の開口部を開閉する蓋体が設けられ、この蓋体は操作ノブに連結され、操作ノブの操作に連動して前記開口部を開閉するように構成されているのが好ましい。
【００２３】
この構成によれば、蓋体の開閉を含めた収納物の出し入れ操作を一の操作ノブの操作で行うことができる。そのため、収納物の出し入れ操作を完全に片手で行うことが可能となる。また、蓋体の紛失を防止することもできる。
【００２４】
この場合、蓋体が操作ノブに対して直接連結され、収納物を押し出すべく操作ノブを移動させると前記開口部を開放しながら蓋体が容器側方に向って移動するように構成されるとともに、蓋体が容器側方に移動するに伴い、又は移動した後に収納物が押し出されるように操作ノブが操作片に対して組付けられているのが好ましい。
【００２５】
このような構成によれば、収納物の出し入れ時、あるいは収納物の使用時に蓋体が邪魔になり難くなる。
【００２６】
なお、この構成の場合には、蓋体を操作ノブに対して回動可能に連結するとともに、容器本体の先端部分にカム部を設け、開口部を開放した状態から収納物を収納すべく操作ノブを移動させると、蓋体の一部がカム部に当接して前記開口部を閉止するように蓋体が操作ノブに対して回動するように構成すればよい。
【００２７】
これによれば、極めて簡単な機構で操作ノブの操作に伴い前記開口部を蓋体により閉止することが可能となる。
【００２８】
【発明の実施の形態】
本発明の第１の実施形態について図面を用いて説明する。
【００２９】
図１及び図２は、本発明に係る操作ノブ付き棒状容器の一例である棒状製剤用容器を概略的に示している。図１は棒状製剤用容器の斜視図で、図２は縦断面斜視図である。
【００３０】
これらの図に示す棒状製剤用容器１０（以下、容器１０と略す）は、口紅等の棒状の製剤Ｃ（収納物）を収納する円筒状の本体１２と、この本体１２の先端（上端）に脱着可能に装着されるキャップ１４とからなり、使用者がキャップ１４を取り外した状態で本体１２を握り、該本体１２の側面に設けられた操作ノブ２６を本体１２に沿ってその軸方向に進退操作することにより製剤Ｃを本体１２に対して出し入れできるように構成されている。
【００３１】
容器１０の本体１２は、図２に示すように、容器本体２０、内部フレーム部材２２、操作片２４および前記操作ノブ２６の合計４つのパーツからなり、これらのパーツが相互に組付けられることにより構成されている。
【００３２】
容器本体２０は、容器１０の外観部分を構成するパーツで、図３（ａ），（ｂ）に示すように先端開口３０を具備した有底の円筒形状を有し、側面にはその先端部分から中間部分に亘って上下方向（容器本体２０の軸方向、長手方向）に延びるスリット３４が形成されている。
【００３３】
容器本体２０の内部には、その底部３２から中間部分まで延びて先端側に開口する断面略矩形の凹部３６（案内用凹部）が区画形成されている。この凹部３６は、容器本体２０の内壁面（詳しくは前記スリット３４に対応する部分の内壁；以下、内壁３６ａという）と、この内壁３６ａに対向する対向壁３６ｂと、両壁３６ａ，３６ｂを連結する互いに平行な一対の側壁３６ｃとから構成されており、後述するように内部フレーム部材２２の後記案内用凸部４４と協働して前記操作片２４の案内通路１６を形成するように構成されている。
【００３４】
凹部３６の底面は断面Ｕ字型の円弧状の面とされている。この円弧状の底面には段状の爪部３９が形成されており、操作片２４の後記係合歯５４と係合し得るように構成されている。また、凹部３６の内壁面のうち前記対向壁３６ｂには、その上端部分から底部付近に亘って操作片２４の後記案内部２４ａを案内するための上下方向に真っ直ぐに延びるガイド溝３８が形成されている。
【００３５】
なお、容器本体２０の内壁面であって前記スリット３４に対応する箇所には、該スリット３４に沿って上下方向に真っ直ぐに延びるガイド溝３７が形成されており操作片２４の後記ノブ取付部５６がこのガイド溝３７に沿って案内されるように構成されている。また、容器本体２０の底部３２であって凹部３６の外側、具体的には、前記対向壁３６ｂの直ぐ後側（図３（ｂ）では左側）には、内部フレーム部材２２を係止するための上下方向に貫通する係止孔３２ａ（被係止部）が形成されている。
【００３６】
内部フレーム部材２２は、前記容器本体２０内に収納される製剤Ｃを直接収容するパーツで、図４（ａ），（ｂ）に示すようにその上部には、製剤Ｃを収容する先端開口４０を具備した円筒形状の支持部（以下、必要に応じて円筒状支持部という）が形成されている。
【００３７】
この内部フレーム部材２２は、前記容器本体２０に隙間なく挿入され得るようにその外形寸法が設定されており、その先端近傍には、前記容器本体２０と同一外径寸法を有する鍔部４１が一体に形成されている。
【００３８】
内部フレーム部材２２の下側には、下方に向かって延びる細長の案内用凸部４４と、これと平行に延びる細長の係止片４６とが設けられている。これら案内用凸部４４及び係止片４６は、内部フレーム部材２２の前記円筒状支持部の底部４２に一体に形成されている。
【００３９】
前記案内用凸部４４は、図４（ｂ）に示すように内部フレーム部材２２の中心部分から半径方向に延びる平板状の凸部で、その先端（下端）には円弧状の案内面４４ａが形成されている。一方、係止片４６は、内部フレーム部材２２の中心を挟んで前記案内用凸部４４の反対側に設けられており、その先端（下端）にはフック４６ａが一体に形成されている。
【００４０】
また、前記底部４２には、操作片２４を挿入するための上下方向に貫通する貫通孔４２ａが穿設されている。この貫通孔４２ａは、その形状が操作片２４の後記案内部２４ａの断面形状に対応した形状とされているとともに、操作片２４を挿入すると該操作片２４に形成される後記一対の突状５２ｂが自ずと案内用凸部４４をその両側から挟む（換言すれば案内用凸部４４が両突状５２ｂの間に介在する）ように前記案内用凸部４４に隣接して設けられている。
【００４１】
操作片２４は、図５（ａ）に示すように製剤Ｃを押し出し操作するための細長のパーツで、その一端には製剤Ｃの保持部５０（保持体）が一体に設けられている。なお、図５（ａ）では、図面スペースの関係上、操作片２４をその途中で折り曲げた状態で示している。
【００４２】
保持部５０は、小径の円盤体５０ａとこれよりも大径の円盤体５０ｂとを上下に備えた二段皿形状を有している。大径の円盤体５０ｂは前記内部フレーム部材２２の円筒状支持部に隙間なく、かつ円筒状支持部に対してスムーズに上下方向に摺動し得るようにその外形寸法が設定されており、後述するように、保持部５０のうち小径の円盤体５０ａを軸状の製剤Ｃの一端（下端）に埋め込んだ状態で、前記大径の円盤体５０により該製剤Ｃをその端面で支えるように構成されている。
【００４３】
操作片２４は、上記の保持部５０の部分を除いて全体が略平板状に形成されており、前記保持部５０に連続する基端側の案内部２４ａと先端側のベルト部２４ｂとを有している。
【００４４】
案内部２４ａは、その表裏両面に上下方向に延びる案内用の突状が形成されたある程度剛性を有する構造とされている。具体的には、図５（ｃ）に示すように、案内部２４ａの一方側の面（同図では左側の面；以下、表側面という）であってその幅方向（同図では上下方向）中央に一本の突状５２ａが形成され、これと反対側の面（以下、裏側面という）であってその幅方向両端に一対の突状５２ｂが形成されている。
【００４５】
一方、ベルト部２４ｂは十分な可撓性を有した構成となっている。ベルト部２４ｂの表側面であって前記案内部２４ａの端部近傍から一定の範囲には、前記容器本体２０に形成された爪部３９と係合可能な鋸歯状の複数の係合歯５４が形成されている。なお、爪部３９及び係合歯５４の詳しい構成については後に説明する。
【００４６】
また、ベルト部２４ｂの先端（操作片２４の先端）であってその表側面にはノブ取付部５６が突設されている。このノブ取付部５６には、図５（ｂ）に示すように操作ノブ２６の取付孔５６ａが形成されている。
【００４７】
操作ノブ２６は、図１および図２に示すように、操作面となる表面に滑り止め用の凹凸を形成した本体部分を有し、その裏側には前記操作片２４（ノブ取付部５６）に装着するためのフック部２６ａが一体に形成されている。
【００４８】
以上のような各パーツの構成のもと、前記本体１２は次のようにして組立てられている。以下、その手順に従って説明する。
【００４９】
まず、図６（ａ）に示すように操作片２４を内部フレーム部材２２の前記円筒状支持部に挿入する。具体的には、操作片２４をベルト部２４ｂの先端側から円筒状支持部に挿入し、さらに底部４２に形成された前記貫通孔４２ａに通すことにより、保持部５０を円筒状支持部内に残した状態で操作片２４を円筒状支持部の下側（外側）に導出する。この際、操作片２４を貫通孔４２ａに挿入すると、案内部２４ａの裏側面に形成された一対の突状５２ｂの間に案内用凸部４４が介在し、これにより操作片２４が案内用凸部４４に沿って案内される。
【００５０】
操作片２４を内部フレーム部材２２に組付けたら、次に、図６（ｂ）に示すように操作片２４のベルト部２４ｂを前記案内用凸部４４の案内面４４ａに沿ってその先端でＵ字状に折り返して内部フレーム部材２２の外側面に沿わせた状態で保持する。この際、操作片２４を下側に引張って保持部５０を底部４２に突き当てた状態で操作片２４を折り返し、この状態で内部フレーム部材２２を操作片２４のノブ取付部５６と共に摘まむようにすればよい。
【００５１】
そして、この状態で内部フレーム部材２２を案内用凸部４４の先端側から前記先端開口３０を介して容器本体２０内に挿入するとともに、容器本体２０の内部において内部フレーム部材２２の前記案内用凸部４４の部分を前記凹部３６内に挿入する。この際、前記操作片２４の案内部２４ａに形成された突状５２ａを凹部３６の前記対向壁３６ｂに形成されたガイド溝３８内に、またノブ取付部５６をガイド溝３７に夫々介装しながら内部フレーム部材２２等を容器本体２０に挿入する。
【００５２】
このようにして内部フレーム部材２２等を完全に容器本体２０に挿入すると、すなわち前記鍔部４１が容器本体２０の先端開口縁部に当接する位置まで内部フレーム部材２２等を挿入すると、内部フレーム部材２２の前記係止片４６の先端フック４６ａが係止孔３２ａに差込まれ、これにより係止片４６が容器本体２０の底部３２に係合して内部フレーム部材２２等が容器本体２０に脱落不能に組付けられた状態となる。また、内部フレーム部材２２の案内用凸部４４と凹部３６の内壁との間に、図２に示すように操作片２４を案内する断面Ｕ字型の案内通路１６が形成されることとなる。
【００５３】
内部フレーム部材２２等を容器本体２０に組付けたら、次に、図６（ｃ）に示すように操作ノブ２６のフック部２６ａを容器本体２０の外側からスリット３４に差込み、該フック部２６ａを操作片２４のノブ取付部５６に形成された取付孔５６ａに差込む。このようにするとフック部２６ａが取付孔５６ａを介してノブ取付部５６に係合し、操作ノブ２６が操作片２４に固定される。
【００５４】
このようにノブ取付部５６の固定が完了すると上記本体１２が完成する。なお、上記キャップ１４は、容器本体２０と略同一の外径寸法を有する円筒状の形状を有しており、本体１２の上端、正確には内部フレーム部材２２のうち鍔部４１よりも上側の部分に装着されるように構成されている。
【００５５】
以上のように構成された容器１０において、製剤Ｃは前記本体１２の内部フレーム部材２２の円筒状支持部に操作片２４に支持された状態で収容される。より詳しくは、製剤Ｃの下端部に保持部５０の前記小径の円盤体５０ａが埋め込まれ、大径の円盤体５０ｂによりその下側から支持された状態で収容される。これにより保持部５０と製剤Ｃとが一体的に内部フレーム部材２２の円筒状支持部内を移動し得るようになっている。
【００５６】
製剤Ｃの未使用時には、図２に示すように前記操作ノブ２６がスリット３４の上端近傍に配置されて製剤Ｃが本体１２内に収納された状態（引き込まれた状態）とされる。そして、この状態で本体１２の上端部分にキャップ１４が装着されることにより製剤Ｃが乾燥等から保護されるようになっている。
【００５７】
製剤Ｃを使用する際にはキャップ１４を取り外し、図７（ａ）に示すように、本体１２を握った状態で操作ノブ２６をスリット３４に沿って下方に押し下げる。このように操作ノブ２６を押し下げると、操作ノブ２６と一体に操作片２４が移動し、その結果、製剤Ｃが保持部５０と共に内部フレーム部材２２の円筒状支持部内を上方に移動して、同図に示すように製剤Ｃが本体１２の先端側に押し出されることとなる。従って、製剤Ｃが例えば口紅である場合には、このように口紅を本体１２の先端側に押し出した状態で唇に押し当てることにより口紅を塗布することが可能となる。
【００５８】
そして、使用後は、操作ノブ２６を逆にスリット３４の上端まで押し上げれば、これに伴い製剤Ｃが保持部５０と共に内部フレーム部材２２の円筒状支持部内を一体に下方に移動し、その結果、製剤Ｃが本体１２内に収納されることとなる。
【００５９】
ところで、この容器１０では上述したように操作ノブ２６の操作により製剤Ｃを出し入れするが、製剤Ｃを使用する際には、操作ノブ２６から手を放した状態でも製剤Ｃが本体１２内に押し戻しされることがないようにする必要がある。つまり、製剤Ｃの使用時にはその押圧力（製剤Ｃが口紅である場合には、口紅を唇に押し付ける力）により本体１２内に製剤Ｃを押し戻す力（反力）が作用するため、この反力により製剤Ｃが本体１２内に押し戻されるのを防止する必要があるが、この点について、上記容器１０では上述したように操作片２４のベルト部２４ｂに係合歯５４が、容器本体２０内にこの係合歯５４に係合可能な爪部３９が夫々設けられ、さらにベルト部２４ｂを案内する案内通路１６等が以下のように構成されることにより、使用中の製剤Ｃの押し戻しが良好に防止され得るようになっている。
【００６０】
すなわち、上記の係合歯５４及び爪部３９は、操作ノブ２６の操作により製剤Ｃを押し出す方向へ操作片２４（ベルト部２４ｂ）が移動するときには非係合状態となり、これと反対方向、つまり製剤Ｃを収納する方向（以下、収納方向という）へ操作片２４が移動する時には係合し得るようにその形状が設定されている（図８参照）。また、案内通路１６のうち操作片２４の反転部分およびこれよりも操作ノブ２６側の部分（図８では爪部３９の右方側の部分）は、ベルト部２４ｂの厚みに対して上下方向の隙間に余裕が設けてあり、ベルト部２４ｂが案内用凸部４４側に接している状態では、係合歯５４と爪部３９が非係合状態となるようにその隙間が設定されている（図９参照）。
【００６１】
これにより、製剤Ｃの押し出し時には、係合歯５４と爪部３９とが係合することがなく、操作ノブ２６の操作に伴い操作片２４が案内通路１６内をスムーズに移動し、その結果、製剤Ｃの押し出しがスムーズに行われることとなる。
【００６２】
そして、図７（ｂ）に矢印で示すように、使用時に製剤Ｃに反力、すなわち製剤Ｃを押し戻す力（収納方向の荷重）が作用すると、図８に示すように係合歯５４と爪部３９とが係合することにより案内通路１６内での操作片２４の収納方向の移動が阻止され、その結果、本体１２内への製剤Ｃの押し戻しが防止されることとなる。つまり、容器本体２０の下端で操作片２４（ベルト部２４ｂ）がＵ字状に折り返されていることにより、図８中矢印で示すように製剤Ｃに反力が作用するとベルト部２４ｂが案内通路１６内においてその下面側（爪部３９側）に撓み、その結果、係合歯５４と爪部３９が係合状態となり製剤Ｃの押し戻しが防止されることとなる。
【００６３】
そして、この状態から製剤Ｃを本体１２内に収納すべく図７（ｃ）に示すように操作ノブ２６を上向きに操作すると、製剤Ｃ等が負荷となって操作片２４に引張り荷重が作用し、その結果、図９に示すようにベルト部２４ｂが案内通路１６内においてその上面側（案内用凸部４４の案内面４４ａ側）に沿って摺動することとなる。これにより係合歯５４と爪部３９との係合状態が解除されて収納方向への操作片２４の移動が許容され、その結果、操作ノブ２６の操作に伴い製剤Ｃがスムーズに本体１２内に収納されることとなる。
【００６４】
従って、操作ノブ２６の操作により製剤Ｃの出し入れをスムーズに行うことができる一方で、操作ノブ２６から手を放した状態でも、使用時の反力により製剤Ｃが容器１０内に押し戻されるのを製剤Ｃの押し出し状態（量）に拘わらず確実に防止することができる。
【００６５】
なお、スリット３４の上端近傍には、対向して形成された一対の凸部からなるストッパ６２（図７，図１３参照）が設けられており、操作ノブ２６を上昇端位置にセットすると、操作ノブ２６と該ストッパ６２とが係合して操作ノブ２６が上昇端位置に拘束されるように構成されている。これにより携帯中に不意に操作ノブ２６が動いて製剤Ｃが押し出されるのを防止することができ、また、使用者が収納操作時のクリック感により製剤Ｃが収納されたことを指先の感覚で認識することができるようになっている。
【００６６】
以上のような容器１０によると次のような効果を得ることができる。
【００６７】
まず、容器１０の組立性を向上させることができるという効果がある。すなわち、この容器１０によると、組立の際には、上述したように操作片２４を内部フレーム部材２２に挿入してＵ字型に折り返し、操作片２４の端部を内部フレーム部材２２と共に摘まんだ状態で容器本体２０の先端開口３０から内部フレーム部材２２等を挿入すればよいので、操作片２４にスプリングバックが発生することがなく、操作片２４をＵ字型に折り返した状態で簡単に容器本体内に組付けることができる。従って、組立時に操作片のスプリングバックが発生し易い従来のこの種の容器と比較すると、容器１０をより簡単に、かつ速やかに組立てることができ、これにより容器１０の組立性を向上させることができる。
【００６８】
特に、内部フレーム部材２２等を完全に容器本体２０に挿入すれば内部フレーム部材２２に設けられた係止片４６が容器本体２０に係合して内部フレーム部材２２等が容器本体２０に固定されるように構成されているので容器本体２０に対する内部フレーム部材２２等の固定をも簡単に行うことができる。また、内部フレーム部材２２等を容器本体２０に挿入する際には、上述したように操作片２４の案内部２４ａに形成された突状５２ａを容器本体２０の凹部３６に形成されたガイド溝３８内に、またノブ取付部５６をガイド溝３７に沿って夫々案内しながら内部フレーム部材２２等を容器本体２０に挿入するように構成されているので挿入時の向きを誤る等の誤作業も防止される。さらに、上記のようにスリット３４に沿って形成されたガイド溝３７に沿ってノブ取付部５６を案内しながら内部フレーム部材２２等を容器本体２０に挿入するので、操作ノブ２６を組付ける際にノブ取付部５６の位置を容易に特定することが可能であり、そのため容器本体２０の外側から操作ノブ２６を簡単、かつ速やかに組付けることができる。従って、これらの点についても容器１０の組立性の向上に寄与し得る。
【００６９】
また、上記容器１０では、操作ノブ２６の操作により操作片２４を介して製剤Ｃの出し入れを行うという基本構成において、操作片２４に係合歯５４を一体に設ける一方、容器本体２０に、この係合歯５４に係合可能な爪部３９を一体に設けることにより使用時の製剤Ｃの押し戻しを防止するように構成しているため合理的な構成で製剤Ｃが容器１０内に押し戻されるのを防止することができるという効果もある。例えば、押し戻しを防止するための専用の部材を別途設け、該部材を容器本体等に組込むことも考えられるが、この場合には容器の構成部品数が増加していきおい製造コストや組立工数の増加を招くこととなる。これに対し、容器１０の構成に必須の部材、つまり操作片２４及び容器本体２０を製剤Ｃの押し戻し防止用の部材として兼用する上記容器１０のように構成によれば、製造コストや組立工数の増加を殆ど伴うことなく製剤Ｃが容器１０内に押し戻されるのを良好に防止することができる。
【００７０】
しかも、上記容器１０における製剤Ｃの押し戻し防止構造は、既に詳述したように、案内通路１６内（反転部分；爪部３９に対応する部分）での操作片２４の撓み具合の違いを利用したものであるため構造が極めて簡単であり、しかも、操作ノブ２６の操作性に何ら影響を与えることがないという特徴がある。つまり、従来のこの種の容器と同用に、スリット３２に沿って操作ノブ２６を進退操作するだけで製剤Ｃを良好に出し入れすることができ、これ以外の特別の操作は一切必要ない。
【００７１】
また、上記容器１０では、操作片２４のうち保持部５０の直ぐ下側に剛性を有した案内部２４ａを設けているので、製剤Ｃの押し出し操作時の操作性を向上させることができるという効果もある。すなわち、例えば、案内部２４ａを設けることなく操作片２４の全体をベルト部２４ｂのような可撓性の構成としてもよいが、この場合には、製剤Ｃの押し出し時に操作片２４に圧縮荷重が作用すると、製剤Ｃの押し出しに伴い内部フレーム部材２２の円筒状支持部内で操作片２４が撓み、その結果、製剤Ｃが十分に押し出されないといった違和感を使用者に与えることが考えられる。これに対して上記実施形態の構成によれば、保持部５０の下端部に剛性を有した案内部２４ａが設けられ、これが案内用凸部４４に沿って真っ直ぐ上下動するように構成されているため、そのような撓みが生じることが一切ない。そのため、操作ノブ２６の操作に対応した量の製剤Ｃを適切に押し出すことが可能であり使用者に違和感を与えることがない。
【００７２】
次に、本発明の第２の実施形態について説明する。
【００７３】
図１０及び図１１は、第２の実施形態に係る操作ノブ付き棒状容器である棒状製剤用容器を概略的に示している。なお、これらの図に示す棒状製剤用容器もその基本的な構成は第１の実施の形態の容器１０と共通するため、共通する部分については同一符号を付して説明を省略し、以下に相違点について詳しく説明することにする。
【００７４】
第２の実施形態の容器１０′には、第１の実施形態の容器１０のようなキャップ１４は設けられておらず、これに代えて本体１２の先端開口、すなわち内部フレーム部材２２の円筒状支持部の先端開口４０を開閉する蓋１５（蓋体）が本体１２に一体的に設けられている。
【００７５】
この蓋１５は、先端開口４０を開閉する平板状の蓋本体１５ａと、その端縁部分に突設される連結部１５ｂとを備えた断面逆Ｌ字型（図１１で逆Ｌ字型）の形状を有しており、軸体６０を介して操作ノブ２６の上端部分に回動可能に軸支されている。
【００７６】
また、本体１２において内部フレーム部材２２には第１の実施形態のようなキャップ１４の装着部分は設けられておらず、その代わりに前記蓋１５に外嵌可能な平面視で略円環状のリブ４１ａが鍔部４１の上部に一体形成されている。つまり、前記蓋１５を閉じると、同図に示すように蓋１５の蓋本体１５ａがリブ４１ａに嵌合し、この嵌合力により蓋１５が同図に示す閉止位置に保持されるようになっている。
【００７７】
さらに、前記鍔部４１において蓋１５の前記連結部１５ｂに対応する箇所には、その径方向外側（内部フレーム部材２２径方向外側；図１１では右側）に向ってカム４１ｂ（カム部）が突設されている。
【００７８】
また、詳しく図示していないが、操作片２４には、操作ノブ２６の取付孔として上下方向（長手方向）に細長の取付孔５６ａを有したノブ取付部５６が設けられており、これにより操作ノブ２６が該取付孔５６ａの範囲内で操作片２４に対して相対的に移動し得るように構成されている。なお、取付孔５６ａの上下方向（長手方向）の寸法は、後述するように、操作ノブ２６による製剤Ｃの押し出し操作に伴い蓋１５が本体１２の側方に移動し、先端開口４０が開放され得るのに十分な寸法に設定されている。
【００７９】
以上のように構成された第２の実施形態の容器１０′においては、製剤Ｃの未使用時には、図１０及び図１１に示すように前記操作ノブ２６がスリット３４の上端近傍に配置されて製剤Ｃが本体１２内に収納され、蓋１５が閉止位置、すなわち先端開口４０を塞ぐ位置にセットされた状態にある。
【００８０】
製剤Ｃを使用する際には、本体１２を握った状態で図１２（ａ）に示すように操作ノブ２６をスリット３４に沿って下向きに操作する。
【００８１】
このように操作ノブ２６を下向きに操作すると、まず操作ノブ２６のみが操作片２４に対して相対的に移動するとともに、これに連動して図１２（ｂ）に示すように蓋１５が本体１２の先端（上端）から側面部分に移動し先端開口４０が開放され始める。そして、操作ノブ２６をノブ取付部５６の前記取付孔５６ａの下端まで移動させると、図１２（ｃ）に示すように蓋１５の末端（同図では上端）が本体１２の側方に完全に移動して先端開口４０が完全に開放された状態となる。
【００８２】
さらに操作ノブ２６を押し下げると、操作ノブ２６が操作片２４に係合し、以後、操作ノブ２６の移動に伴い操作片２４が移動することにより図１２（ｄ）に示すように製剤Ｃが本体１２の先端側に押し出されることとなる。
【００８３】
そして、製剤Ｃを使用した後は、逆に操作ノブ２６を上向きに操作すれば、製剤Ｃが本体１２内に収納されることとなる。この際、操作ノブ２６を上向きに操作すると、まず前記取付孔５６ａの範囲内で操作ノブ２６のみが操作片２４に対して相対的に移動する。そして、操作ノブ２６が前記取付孔５６ａの上端まで移動すると、操作ノブ２６が操作片２４に係合し、以後、操作ノブ２６の移動に伴い操作片２４が一体に移動して製剤Ｃが本体１２内に収納されることとなる。このとき、操作ノブ２６がスリット３４の上端近傍に至ると、蓋１５の連結部１５ｂが前記カム４１ｂに当接し、これにより蓋１５が軸体６０を支点として回動する。そして、操作ノブ２６が完全に押し上げられると製剤Ｃが収納されて図１０及び図１１に示すように先端開口４０が蓋１５によって完全に塞がれた状態となる。
【００８４】
なお、この容器１０′においても、スリット３４の上端近傍には、図１１及び図１３に示すように、対向して形成された一対の凸部からなるストッパ６２が設けられており、操作ノブ２６を上昇端位置、つまり蓋１５により先端開口４０が閉止される位置にセットすると、操作ノブ２６と該ストッパ６２とが係合して操作ノブ２６が上昇端位置に拘束されるように構成されている。これにより携帯中に不意に蓋１５が開いたり、さらに製剤Ｃが押し出されるのを防止することができる。また、使用者が収納操作時のクリック感により製剤Ｃが収納されたことを指先の感覚で認識することができるようになっている。なお、蓋１５により先端開口４０を塞いだ状態をより確実に維持するために、例えば、操作ノブ２６及び蓋１５等に、操作ノブ２６に対して蓋１５を閉止方向（前記閉止位置に回動する方向）に付勢するばね等の弾性体からなる付勢手段を組付けるようにしてもよい。
【００８５】
以上のような第２の実施形態の容器１０′によると、蓋１５の開閉操作が操作ノブ２６による製剤Ｃの出し入れ動作に連動するので、蓋１５の開閉操作を含む製剤Ｃの一連の出し入れ操作を片手で簡単に行うことができる。従って、第１の実施形態の容器１０による効果に加えて、操作性をより一層向上させることができるという効果がある。また、蓋１５が本体１２に一体に組付けられているので蓋１５の紛失を防止することができるという効果もある。
【００８６】
しかも、上記容器１０′では、製剤Ｃを押し出すべく操作ノブ２６を操作しても蓋１５が完全に本体１２の側方に移動するまでは製剤Ｃが押し出されることがないため、本体１２に蓋１５を一体的に組込みながらも、製剤Ｃの出し入れ時、あるいは使用時に蓋１５が邪魔になることが一切ないという効果もある。
【００８７】
次に、本発明の第３の実施形態について説明する。
【００８８】
図１４は、第３の実施形態に係る操作ノブ付き棒状容器である棒状製剤用容器を概略的に示している。なお、この図に示す棒状製剤用容器の基本構成は、第１の実施形態の容器１０と共通するため、共通する部分については同一符号を付して説明を省略し、以下に相違点についてのみ詳しく説明することにする。
【００８９】
同図に示す容器１０′′は、以下のような内部フレーム部材２２′を有している点で第１の実施形態の容器１０と構成が相違している。すなわち、第３の実施形態の内部フレーム部材２２′は、第１の実施形態における内部フレーム部材２２の円筒状支持部のうち、その円筒壁を省略した構成とされている。
【００９０】
内部フレーム部材２２′は、同図に示すように、容器本体２０の内周面の所定箇所に形成された支持リブ８０上に底部４２（便宜上第１の実施形態と同一名称を使用する）が係合することにより下方への動きが規制された状態で容器本体内に固定されている。なお、内部フレーム部材２２′の上方への動きは、上記のとおり、係止片４６の先端フック４６ａがハウジング２０の係止孔３２ａに差込まれて、規制されている。
【００９１】
以上のような第３の実施形態の容器１０′′によると、内部フレーム部材２２′に筒状壁がない分、第１の実施形態の容器１０に比べて容器本体２０への内部フレーム部材２２′の挿入が容易であり、また、製剤Ｃ等の収納物をより多く収納することができるという利点がある。
【００９２】
ところで、以上説明した容器１０，１０′，１０′′は本発明に係る操作ノブ付棒状用容器である棒状製剤用容器の好ましい実施の形態であって、その具体的な構成は本発明の要旨を逸脱しない範囲で適宜変更可能である。具体的には、以下のような構成を採用することもできる。
【００９３】
▲１▼ 容器１０，１０′，１０′′における製剤Ｃの押し戻し機構として図１５に示すような構成を採用してもよい。すなわち、爪部３９を前記凹部３６の底面部分ではなく、それよりも上方の案内面（対向壁３６ｂの部分）に設けるとともに、案内通路１６のうち操作片２４の反転部分から爪部３９に亘る部分の隙間を広く、つまりベルト部２４ｂの撓みによる変位が許容され、爪部３９と係合歯５４との係脱が可能とるように設定した構成としてもよい。このような構成によっても、同図に矢印で示すように製剤Ｃを押し戻す力が作用したときには、ベルト部２４ｂ対向壁３６ｂ側に撓んで係合歯５４と爪部３９とが係合し、これにより操作片２４の収納方向の移動が阻止されて本体１２内への製剤Ｃの押し戻しが防止され、一方、製剤Ｃを本体１２内に収納すべく操作ノブ２６を操作して操作片２４に引張り荷重を与えると、図１６に示すようにベルト部２４ｂが案内用凸部側に沿って係合歯５４と爪部３９との係合状態が解除された状態となり、これにより操作片２４の収納方向への移動が許容されて製剤Ｃが本体１２内に収納されることとなる。なお、案内通路１６内における爪部３９の位置および案内通路１６の隙間等の具体的な構成はこの実施形態の構成に限られるものではない。要は、製剤Ｃの出し入れをスムーズに行うことができ、かつ使用時に係合歯５４と爪部３９とを確実に係合させて製剤Ｃの押し戻しを防止できれば如何なる構成であってもよい。
【００９４】
▲２▼ 構成を簡略化するために、容器本体２０のガイド溝３８や操作片２４の突状５２ａ，５２ｂ等を省略したり、あるいは、容器本体２０の凹部３６（対向壁３６ｂ，側壁３６ｃ）自体を省略してもよい。但し、凹部３６を省略した場合には、製剤Ｃを押し出すべく操作ノブ２６を操作したときに操作片２４に圧縮荷重がかかって操作片２４が撓み、製剤Ｃの押し出しに支障をきたすことが考えられるので、ある程度剛性の高い操作片２４を用いることが必要となる。
【００９５】
▲３▼ 上記の実施形態では、図６（ｂ）に示すように、操作片２４を内部フレーム部材２２に通してＵ字状に折り返した組立体を構成し、これを容器本体２０に挿入して組付けるようにしているが、例えば、径方向に二分割される分割構造の内部フレーム部材を用い、その分割片の一方に上記組立体を組込んだ後、これに他方側の分割片を合体させるようにしてもよい。この場合も、予め案内通路１６を構成する案内用凸部４４に沿って予め操作片２４をＵ字状に折り返した前記の組立体を分割片に対して組付けることとなるので、従来のように各分割片に形成された案内溝に沿って操作片をＵ字状に折り返しながら嵌め込むといった煩雑な作業が必要なく、従って、従来のこの種の容器に比べると簡単に操作片等を容器内に組込むことができる。
【００９６】
▲４▼ 細部の構成について、例えば操作片２４と保持部５０とは一体成形されたものである必要はなく、夫々別個に成形された操作片２４と保持部５０とを合体させたものであってもよい。また、保持部５０の具体的な形状も実施形態のような二段皿形状に限らず、バケット状、棒状あるいは皿状等、製剤Ｃに応じた最適な形状を適宜選定すればよい。この場合、上記実施形態では、図６（ｂ）等に示すように底部４２が保持部５０の抜け止めとして機能することにより、内部フレーム部材２２の円筒状支持部からの保持部５０の脱落（底部側（図６（ｂ）では下側）への脱落）が防止されるようになっているが、例えば、保持部５０と貫通孔４２ａとの関係で内部フレーム部材２２の円筒状支持部から保持部５０が脱落するおそれがある場合には、別途何らかの抜け止めを設ければよい。勿論、抜け止めは設けなくても機能上は差し支えないが、容器１０，１０′，１０′′の組立時には、上述したように、内部フレーム部材２２に通した操作片２４を引張って保持部５０を底部４２に突き当てた状態で操作片２４を折り返し、この状態で内部フレーム部材２２を操作片２４のノブ取付部５６と共に摘まむようにして容器本体２０に挿入できる方が組立性が良いので、この観点からすると、抜け止めを設けて内部フレーム部材２２の円筒状支持部からの保持部５０の脱落を防止できるように構成するのが好ましい。
【００９７】
▲５▼ 容器本体２０に対して内部フレーム部材２２を固定する固定手段として、例えば上記係止片４６等を設ける代わりに、内部フレーム部材２２の外周面であって鍔部４１の下側付近にフックを設ける一方、容器本体２０の内周に該フックに対応する係合部を設け、内部フレーム部材２２の挿入に伴いこれらを相互に係合させるように構成してもよい。また、内部フレーム部材２２の外周面に突起を形成する一方、容器本体２０の内周面に、その上端から下方に真っ直ぐ延びる縦溝とその下端で周方向に延びるロック溝とからなるＬ字状の案内溝を形成し、縦溝に沿って突起を案内しながら内部フレーム部材２２を容器本体２０に挿入した後、内部フレーム部材２２と容器本体２０とを相対的に回転させて前記突起をロック溝に嵌め込むことにより容器本体２０と内部フレーム部材２２とを互いに係止するように構成してもよい。要するに内部フレーム部材２２と容器本体２０とを良好に、かつ簡単に係止することができれば、上記係止手段は如何なる構成であっても構わない。但し、上記容器１０のように鍔部４１を容器本体２０の先端開口縁部に係合させて内部フレーム部材２２に設けた係止片４６を内部フレーム部材２２の底部３２に係止する構成によれば、容器１０の組立ての際に内部フレーム部材２２を容器本体２０に挿入するだけで極めて簡単に内部フレーム部材２２を容器本体２０に固定することができ、また固定後は、軸方向の引張り応力が働いた状態で内部フレーム部材２２が固定されることとなるので、内部フレーム部材２２をより安定した状態で固定することができるという利点がある。
【００９８】
▲６▼ 上記実施形態では、本発明の操作ノブ付き棒状容器として例えば口紅、薬用リップ、糊等に代表される棒状製剤Ｃを収納する棒状製剤用容器について説明したが、勿論、化粧用のハケ、印鑑、食品等の製剤以外のものを収納する容器として適用することも可能である。この場合には、前記保持部５０の形状をその収納物を保持するのに最適な形状とすればよい。
【００９９】
【発明の効果】
以上説明したように、本発明の操作ノブ付き棒状容器は、操作片を案内するための案内用凸部を具備した容器本体とは別体の内部フレーム部材が設けられ、容器の組立時には、内部フレーム部材により保持体を支持し、操作片を内部フレーム部材の案内用凸部に沿ってＵ字状に折り返した状態で該内部フレーム部材等を容器本体の内部に組込むことができるように構成されているので、従来のように、容器本体を構成する分割片の案内溝に操作片をＵ字状に折り返して嵌め込みながら操作片等を容器本体に組付けるといった煩雑な作業を行う必要がなく、容器を簡単に組立てることができる。
【０１００】
特に、内部フレーム部材に保持体を保持し、かつ操作片を案内用凸部に沿ってＵ字状に折り返した状態で内部フレーム部材および操作片を一体に先端開口から容器本体内に挿入して組付け得るようにすれば、操作片にスプリングバックが生じるのを確実に防止することができ、これにより、より簡単に容器を組立てることができるようになる。
【図面の簡単な説明】
【図１】本発明に係る操作ノブ付き棒状容器（第１の実施の形態）である棒状製剤用容器を示す斜視図である。
【図２】棒状製剤用容器を示す縦断面図である。
【図３】棒状製剤用容器の本体を構成する容器本体を示す図である（（ａ）は部分断面図、（ｂ）は平断面図である）。
【図４】棒状製剤用容器の本体を構成する内部フレーム部材を示す図である（（ａ）は部分断面図、（ｂ）は平断面図である）。
【図５】棒状製剤用容器の本体を構成する操作片を示す図である（（ａ）は部分断面図、（ｂ）はノブ取付部を示す拡大斜視図、（ｃ）は平断面図である）。
【図６】棒状製剤用容器の組立て手順を示す斜視図（部分断面図）である（（ａ）は内部フレーム部材の円筒状支持部に操作片を挿入した状態、（ｂ）は内部フレーム部材等を容器本体に挿入する際の状態、（ｃ）は内部フレーム部材を容器本体に挿入した状態である）。
【図７】棒状製剤用容器の使用状態を示す断面図である（（ａ）は製剤の押し出し操作をした状態、（ｂ）は製剤の使用時の状態、（ｃ）は製剤の収納操作をした状態である）。
【図８】操作片（係合歯）と爪部との関係を示す図７（ｂ）の要部拡大図（図７（ｂ）の一点鎖線で示す円の部分）拡大図である。
【図９】操作片（係合歯）と爪部との関係を示す図７（ｃ）の要部拡大図（図７（ｃ）の一点鎖線で示す円の部分）拡大図である。
【図１０】本発明に係る操作ノブ付き棒状容器（第２の実施の形態）である棒状製剤用容器を示す正面図である。
【図１１】棒状製剤用容器を示す断面図である。
【図１２】棒状製剤用容器の使用状態を示す断面図である（（ａ）は製剤を押し出し始めた直後の状態、（ｂ）は蓋が殆ど容器側方に移動した状態、（ｃ）は蓋が完全に容器側方に移動して容器先端が完全に開放された状態、（ｄ）は製剤が押し出された状態である）。
【図１３】スリットに設けられた操作ノブのストッパを示す棒状製剤用容器の正面図である。
【図１４】本発明に係る操作ノブ付き棒状容器（第３の実施の形態）である棒状製剤用容器を示す斜視断面図である。
【図１５】操作片（係合歯）と爪部との関係について別の例を示す図（製剤の押し出し操作をした状態）である。
【図１６】操作片（係合歯）と爪部との関係について別の例を示す図（製剤の収納操作をした状態）である。
【符号の説明】
１０  容器
１２  本体
１４  キャップ
１６  案内通路
２０  容器本体
２２  内部フレーム部材
２４  操作片
２４ａ  案内部
２４ｂ  ベルト部
２６  操作ノブ
３０  先端開口
３４  スリット
４４  案内用凸部
５０  保持部
５６  ノブ取付部
【図１】
0004082940.tif 000002
【図２】
0004082940.tif 000003
【図３】
0004082940.tif 000004
【図４】
0004082940.tif 000005
【図５】
0004082940.tif 000006
【図６】
0004082940.tif 000007
【図７】
0004082940.tif 000008
【図８】
0004082940.tif 000009
【図９】
0004082940.tif 000010
【図１０】
0004082940.tif 000011
【図１１】
0004082940.tif 000012
【図１２】
0004082940.tif 000013
【図１３】
0004082940.tif 000014
【図１４】
0004082940.tif 000015
【図１５】
0004082940.tif 000016
【図１６】
0004082940.tif 000017